(57)【要約】【課題】複数の機器対応モードを有するリモコン送信器の使い勝手を向上させる。【解決手段】複数の機器部２１，２２，２３に共通に適用される操作キーをモード切換えスイッチによって機器部専用のキーとして設定する機能が設けられたリモコン送信器１６からのリモコン信号を受信して、解読してリモコン送信器１６の設定モードを判別し、結果をメモリ２９に記憶する。設定されたモード以外のモードで適用される操作キーが操作されたこと、あるいは設定モード用の操作キーが操作されたことを表示部３４で表示することで、ユーザのリモコン送信器１６の操作状況をユーザに通知するように構成する。【選択図】      図４
2005051310.tif 000002
【特許請求の範囲】
【請求項１】
それぞれ異なる機能を実行する複数の機器部と、
表示手段と、
前記複数の機器部の内、操作対象とする機器部が特定される複数のモードを切換え可能に構成されると共に操作キーが操作された際に当該操作キーに対応したコードを有するリモートコントロール信号を送信するリモートコントロール送信器からの信号を受信するリモートコントロール信号受信部と、
前記受信部で受信したリモートコントロール信号から前記リモートコントロール送信器がどのモードに設定されているかを解読すると共に前記コードに基づきどの操作キーの操作による信号であるかを解読して前記機器部を制御する制御信号を出力する制御手段と、
前記制御部によって解読された前記リモートコントロール送信器のモードを記憶する記憶手段と、
この記憶手段に記憶されたモードに対応するキー以外のキーの操作に基づくリモートコントロール信号が受信された際にその操作に対するメッセージを前記表示手段に表示させる報知手段と、
を具備したことを特徴とする電子機器。
【請求項２】
それぞれ異なる機能を実行する複数の機器部と、
表示手段と、
前記複数の機器部の内、操作対象とする機器部が特定される複数のモードを切換え可能に構成されると共に操作キーが操作された際に当該操作キーに対応したコードを有するリモートコントロール信号を送信するリモートコントロール送信器からの信号を受信するリモートコントロール信号受信部と、
前記受信部で受信したリモートコントロール信号から前記リモートコントロール送信器がどのモードに設定されているかを解読すると共に前記コードに基づきどの操作キーの操作による信号であるかを解読して前記機器部を制御する制御信号を出力する制御手段と、
前記制御部によって解読された前記リモートコントロール送信器のモードを記憶する記憶手段と、
この記憶手段に記憶されたモードに対応するキーの操作に基づくリモートコントロール信号が受信された際にその操作に対するメッセージを前記表示手段に表示させる報知手段と、
を具備したことを特徴とする電子機器。
【請求項３】
前記報知手段が、前記メッセージを複数の言語で行なうことを特徴とする請求項１または２の記載の電子機器。
【請求項４】
それぞれ異なる機能を実行する複数の機器部と、
表示手段と、
前記複数の機器部の内、操作対象とする機器部が特定される複数のモードを切換え可能に構成されると共に操作キーが操作された際に当該操作キーに対応したコードを有するリモートコントロール信号を送信するリモートコントロール送信器からの信号を受信するリモートコントロール信号受信部と、
前記受信部で受信したリモートコントロール信号から前記リモートコントロール送信器がどのモードに設定されているかを解読すると共に前記コードに基づきどの操作キーの操作による信号であるかを解読して前記機器部を制御する制御信号を出力する制御手段と、
前記制御部によって解読された前記リモートコントロール送信器のモードを記憶する記憶手段と、
電源が投入された際に、前記記憶手段に記憶されているモードをメッセージとして前記表示手段に表示する報知手段と、
を具備していることを特徴とする電子機器。
【請求項５】
前記機器本体がテレビジョン受信器であり、前記複数の機器部が、それぞれテレビジョン信号の記録再生機器であることを特徴とする請求項１乃至４に記載のいずれかに記載の電子機器。
【請求項６】
前記モードが、前記テレビジョン受信機と前記記録再生機器の一つの組合わせを共通に制御するモードと、前記テレビジョン受信器と組み合わされた記録再生機器以外の記録再生機器を単独で制御するモードを含むことを特徴とする請求項５に記載の電子機器。
【請求項７】
表示手段を備えた第１の機器と、
第２の機器と、
前記第１及び第２の機器の内操作対象とする機器を特定するモードを切換えるスイッチ及び前記第１または第２の機器にそれぞれ対応する操作キー及びこの操作キーが操作された際に当該操作キーに対応したコードを有するリモートコントロール信号を送信する送信部とを備えたリモートコントロール送信器と、
前記第１の機器に設けられ、前記リモートコントロール送信器から送信されるリモートコントロール信号を受信して前記リモートコントロール送信器がどのモードに設定されているかを解読すると共に前記コードに基づきどの操作キーの操作による信号であるかを解読して前記機器部を制御する制御信号を出力する制御手段と、
前記制御部によって解読された前記リモートコントロール送信器のモードを記憶する記憶手段と、
この記憶手段に記憶されたモードに対応するキー以外のキーの操作に基づくリモートコントロール信号が受信された際にその操作に対するメッセージを前記表示手段に表示させる報知手段と、
を具備したことを特徴とする電子機器システム。
【請求項８】
表示手段を備えた第１の機器と、
第２の機器と、
前記第１及び第２の機器の内操作対象とする機器を特定するモードを切換えるスイッチ及び前記第１または第２の機器にそれぞれ対応する操作キー及びこの操作キーが操作された際に当該操作キーに対応したコードを有するリモートコントロール信号を送信する送信部とを備えたリモートコントロール送信器と、
前記第１の機器に設けられ、前記機器本体が、前記リモートコントロール送信器から送信されるリモートコントロール信号を受信して前記リモートコントロール送信器がどのモードに設定されているかを解読すると共に前記コードに基づきどの操作キーの操作による信号であるかを解読して前記機器部を制御する制御信号を出力する制御手段と、
前記制御部によって解読された前記リモートコントロール送信器のモードを記憶する記憶手段と、
この記憶手段に記憶されたモードに対応するキーの操作に基づくリモートコントロール信号が受信された際にその操作に対するメッセージを前記表示手段に表示させる報知手段と、
を具備したことを特徴とする電子機器システム。
【請求項９】
表示手段を備えた第１の機器と、
第２の機器と、
前記第１及び第２の機器の内操作対象とする機器を特定するモードを切換えるスイッチ及び前記第１または第２の機器にそれぞれ対応する操作キー及びこの操作キーが操作された際に当該操作キーに対応したコードを有するリモートコントロール信号を送信する送信部とを備えたリモートコントロール送信器と、
前記第１の機器に設けられ、前記リモートコントロール送信器のモード切換えスイッチによってどのモードが選択されているかを記憶する記憶手段と、
前記第１の機器に設けられ、当該第１の機器の電源が投入された際に前記記憶手段に記憶されているモードをメッセージとして前記表示手段に表示させる報知手段と、
を具備したことを特徴とする電子機器システム。
【発明の詳細な説明】
【０００１】
【発明の属する技術分野】
この発明は、複数の機器部を備えた機器本体と、この機器本体および複数の機器部を制御するためのリモートコントロール信号を送信するリモートコントロール送信器で構成される電子機器に関し、特に、機器本体と各機器部を制御するリモートコントロール信号を適切に送信することができるようにした電子機器に関する。
【０００２】
【従来の技術】
昨今、例えば、テレビジョン受信器にＤＶＤ（Ｄｉｇｉｔａｌ  Ｖｅｒｓａｔｉｌｅ  Ｄｉｓｋ）レコーダあるいはＶＴＲ（Ｖｉｄｅｏ  Ｔａｐｅ  Ｒｅｃｏｒｄｅｒ）を一体的に組み込んだ電子機器が市場に出回りつつある。
このような、複数の機器の複合体として構成された電子機器においては、１個のリモートコントロール送信器（リモコン送信器）が備えられ、このリモコン送信器によって各機器部をそれぞれ個々に制御できるように構成している。しかしながら、このように複数の機器部を単一のリモコン送信器で制御するように構成した場合、リモコン送信器の操作キーの数が増えて、送信器の外形寸法が大型になって取り扱い性という点で好ましくないという問題が発生する。また、キー数の増加は何より、ユーザにとって操作が煩雑になって適切な操作を実行することが困難になるという大きな問題を提起することになりかねない。
【０００３】
そこで、各機器で共通する例えば数字キー等は、唯一備えておいて各機器を制御する際に、切換えて、各機器用として設定できるように構成するのが一般である。
すなわち、リモコン送信器に、制御対象となる機器を特定するためのスイッチを備えておいて、それを切換えることで、共通キーを操作することによって送信されるリモコン信号のコードを変えるように構成されている。
例えば、テレビジョン受信器に、ＶＴＲとＤＶＤレコーダが一体的に組み込まれた電子機器においては、リモコン送信器にＴＶとＶＴＲを制御対象とするＴＶ／ＶＴＲモードと、ＤＶＤを制御対象とするＤＶＤモードを切換えるためのモード切換えスイッチを設け、このモード切換えスイッチを切換えることによって、リモコン送信器の制御対象機器（モード）を切換えるようにしている。それによって、共通に用いられるキーの操作によって送信されるリモコン信号のコードが変更されることになる。
【０００４】
また、このようなリモコン送信器においては、モード切換えスイッチによってリモコン信号のコードが変えられるキーの他に、特定のモード専用に用いられる操作キーも設けられており、それら専用のキーについては、設定されたモードでないモード用のキーを操作してもリモコン信号が送信されないようにするか、あるいは、送信は実行できてもリモコン信号の受信側（被制御機器：テレビジョン受信器側）でそれを受付けないように設定するのが一般である。
【０００５】
したがって、そのような、設定されたモード以外のモード専用のキーを操作しても、受信側では全く反応しないために、ユーザは、リモコン送信器が故障したかあるいは、制御対象としての機器が故障してしまったかという誤った認識をしてしまって、その対策を講ずる結果、リモコン送信器、あるいは、制御対象機器を本当に故障させてしまうといった事故を発生しかねないという問題を有している。
【０００６】
従来、複数の機器を１個のリモコン送信器で制御するための提案は数多くなされている（例えば特許文献１参照）が、制御対象となっている機器を制御する機能を有しないキーを操作した際の対策について開示している提案はない。すなわち、設定されたモード以外のモード用のキーが操作されたことをユーザが何らかの手段で認識できれば、ユーザが誤った認識をしてしまうことを避けることができる。
【０００７】
また、逆に、制御対象の機器用の操作キーを正しく操作しても、制御対象の機器が正常に反応しない場合にも、ユーザの操作が少なくとも制御対象とする機器に合致していることをユーザに認識させてやればよりフレンドリーなリモコン送信器として利便性を高めることができるがそのような提案も従来なされていない。
【０００８】
【特許文献１】
特開２００１−１２８２６３号公報（第４，５頁、図１，２）
【０００９】
【発明が解決しようとする課題】
以上のように、従来、複数の機器で構成される電子機器を、一つのリモコン送信器で制御する際に、リモコン送信器を各機器の一つに対応するように切換設定するように構成した機器において、操作キーを操作した際にそれが間違った操作であるか否かユーザに知らしめる提案がなされておらず、その実現が要望されていた。
【００１０】
本発明は、以上の点に対処してなされたものであり、特定されている制御対象機器を制御するためのキー以外のキーを操作した際、また制御対象機器を制御するためのキーを操作した際に、それをユーザに通知せしめるようにすることで、リモコンの操作性を高めることを可能にした電子機器及び電子機器システムを提供することを目的とする。
【００１１】
【課題を解決するための手段】
本発明の電子機器は、それぞれ異なる機能を実行する複数の機器部と、表示手段と、前記複数の機器部の内、操作対象とする機器部が特定される複数のモードを切換え可能に構成されると共に操作キーが操作された際に当該操作キーに対応したコードを有するリモートコントロール信号を送信するリモートコントロール送信器からの信号を受信するリモートコントロール信号受信部と、前記受信部で受信したリモートコントロール信号から前記リモートコントロール送信器がどのモードに設定されているかを解読すると共に前記コードに基づきどの操作キーの操作による信号であるかを解読して前記機器部を制御する制御信号を出力する制御手段と、前記制御部によって解読された前記リモートコントロール送信器のモードを記憶する記憶手段と、この記憶手段に記憶されたモードに対応するキー以外のキーの操作に基づくリモートコントロール信号が受信された際にその操作に対するメッセージを前記表示手段に表示させる報知手段と、を具備したことを特徴とする。
【００１２】
本発明によれば、設定されたモード以外のモードで使用されるキーが操作されたことをユーザに報知することができるので、ユーザが誤った認識をすることがなく、操作性が向上するものである。
本発明の電子機器は、それぞれ異なる機能を実行する複数の機器部と、表示手段と、前記複数の機器部の内、操作対象とする機器部が特定される複数のモードを切換え可能に構成されると共に操作キーが操作された際に当該操作キーに対応したコードを有するリモートコントロール信号を送信するリモートコントロール送信器からの信号を受信するリモートコントロール信号受信部と、前記受信部で受信したリモートコントロール信号から前記リモートコントロール送信器がどのモードに設定されているかを解読すると共に前記コードに基づきどの操作キーの操作による信号であるかを解読して前記機器部を制御する制御信号を出力する制御手段と、前記制御部によって解読された前記リモートコントロール送信器のモードを記憶する記憶手段と、この記憶手段に記憶されたモードに対応するキーの操作に基づくリモートコントロール信号が受信された際にその操作に対するメッセージを前記表示手段に表示させる報知手段と、を具備したことを特徴とする。
【００１３】
本発明によれば、設定されたモードで使用されるキーが操作されたことをユーザに報知することができるので、ユーザが誤った認識をすることがなく、操作性が向上するものである。
本発明の電子機器は、それぞれ異なる機能を実行する複数の機器部と、表示手段と、前記複数の機器部の内、操作対象とする機器部が特定される複数のモードを切換え可能に構成されると共に操作キーが操作された際に当該操作キーに対応したコードを有するリモートコントロール信号を送信するリモートコントロール送信器からの信号を受信するリモートコントロール信号受信部と、前記受信部で受信したリモートコントロール信号から前記リモートコントロール送信器がどのモードに設定されているかを解読すると共に前記コードに基づきどの操作キーの操作による信号であるかを解読して前記機器部を制御する制御信号を出力する制御手段と、前記制御部によって解読された前記リモートコントロール送信器のモードを記憶する記憶手段と、電源が投入された際に、前記記憶手段に記憶されているモードをメッセージとして前記表示手段に表示する報知手段と、を具備していることを特徴とする。
【００１４】
本発明によれば、機器本体の電源を入れた際に、ユーザにリモコン送信器のモードを報知することができるため操作性が向上するものである。
本発明の電子機器システムは、表示手段を備えた第１の機器と、第２の機器と、前記第１及び第２の機器の内操作対象とする機器を特定するモードを切換えるスイッチ及び前記第１または第２の機器にそれぞれ対応する操作キー及びこの操作キーが操作された際に当該操作キーに対応したコードを有するリモートコントロール信号を送信する送信部とを備えたリモートコントロール送信器と、前記第１の機器に設けられ、前記リモートコントロール送信器から送信されるリモートコントロール信号を受信して前記リモートコントロール送信器がどのモードに設定されているかを解読すると共に前記コードに基づきどの操作キーの操作による信号であるかを解読して前記機器部を制御する制御信号を出力する制御手段と、前記制御部によって解読された前記リモートコントロール送信器のモードを記憶する記憶手段と、この記憶手段に記憶されたモードに対応するキー以外のキーの操作に基づくリモートコントロール信号が受信された際にその操作に対するメッセージを前記表示手段に表示させる報知手段と、を具備したことを特徴とする。
【００１５】
本発明によれば、設定されたモード以外のモードで使用されるキーが操作されたことをユーザに報知することができるので、ユーザが誤った認識をすることがなく、操作性が向上するものである。
本発明の電子機器システムは、表示手段を備えた第１の機器と、第２の機器と、前記第１及び第２の機器の内操作対象とする機器を特定するモードを切換えるスイッチ及び前記第１または第２の機器にそれぞれ対応する操作キー及びこの操作キーが操作された際に当該操作キーに対応したコードを有するリモートコントロール信号を送信する送信部とを備えたリモートコントロール送信器と、前記第１の機器に設けられ、前記機器本体が、前記リモートコントロール送信器から送信されるリモートコントロール信号を受信して前記リモートコントロール送信器がどのモードに設定されているかを解読すると共に前記コードに基づきどの操作キーの操作による信号であるかを解読して前記機器部を制御する制御信号を出力する制御手段と、前記制御部によって解読された前記リモートコントロール送信器のモードを記憶する記憶手段と、この記憶手段に記憶されたモードに対応するキーの操作に基づくリモートコントロール信号が受信された際にその操作に対するメッセージを前記表示手段に表示させる報知手段と、を具備したことを特徴とする。
【００１６】
本発明によれば、設定されたモードで使用されるキーが操作されたことをユーザに報知することができるので、ユーザが誤った認識をすることがなく、操作性が向上するものである。
本発明の電子機器システムは、表示手段を備えた第１の機器と、第２の機器と、前記第１及び第２の機器の内操作対象とする機器を特定するモードを切換えるスイッチ及び前記第１または第２の機器にそれぞれ対応する操作キー及びこの操作キーが操作された際に当該操作キーに対応したコードを有するリモートコントロール信号を送信する送信部とを備えたリモートコントロール送信器と、前記第１の機器に設けられ、前記リモートコントロール送信器のモード切換えスイッチによってどのモードが選択されているかを記憶する記憶手段と、前記第１の機器に設けられ、当該第１の機器の電源が投入された際に前記記憶手段に記憶されているモードをメッセージとして前記表示手段に表示させる報知手段と、を具備したことを特徴とする。
【００１７】
本発明によれば、機器本体の電源を入れた際に、ユーザにリモコン送信器のモードを報知することができるため操作性が向上するものである。
【００１８】
【発明の実施の形態】
以下、図面を参照して、本発明に係る電子機器の一実施の形態について詳細に説明する。図１は、本発明の電子機器の外観を示す構成図である。図１において、電子機器１０は、テレビジョン受信器とＶＴＲとＤＶＤレコーダが一体的に設けられた複合機器として構成されている。
【００１９】
すなわち、電子機器本体としてのテレビジョン受信器１１は、その筐体１２に、陰極線管等で構成される表示部１３と、ＶＴＲのカセットを装着するためのカセット挿入部１４と、ＤＶＤのディスクを装着するためのトレイ等で構成されるディスク装着部１５を備え、さらにテレビジョン受信器１１、ＶＴＲ、ＤＶＤレコーダの各機能を制御するためのリモコン送信器１６を備えている。また、筐体１２の前面に、テレビジョン受信器１１、あるいはＶＴＲ、ＤＶＤレコーダの機能を制御するための複数の操作ボタン１７と、リモコン送信器１６から送信される赤外線リモコン信号を受信するための受光部１８が設けられている。
【００２０】
図２は、図１に示す電子機器１０の具体的回路構成を示すブロック図である。図２において、電子機器１０は、テレビジョン受信器部２１と、ＶＴＲ部２２とＤＶＤレコーダ部２３を有する。なお、図２において、ＶＴＲ部２２とＤＶＤレコーダ部２３を構成する部分をそれぞれ一点鎖線で囲んで示している。したがって、テレビジョン受信器部２１は、一点鎖線で囲まれた以外のブロックで構成される。
【００２１】
テレビジョン受信器部２１は、アンテナ２４で受信した放送信号が供給されるアンテナ入力端子２５を有する。アンテナ入力端子２５は、チューナ２６に接続され、チューナ２６において、所望のチャンネルの選局が実行される。
所望のチャンネルの選局を実行するために、制御部２７が設けられており、この制御部２７に入力部２８が接続され、ユーザが入力部２８を介して選局要求を制御部２７に入力することによって、制御部２７が選局信号をチューナ２６に送る。
制御部２７は例えばＣＰＵ（Ｃｅｎｔｒａｌ  Ｐｒｏｃｅｓｓｉｎｇ  Ｕｎｉｔ）で構成され、チャンネル選局の他、機器１０全体の動作及び機能を制御するものであ。このため制御部２７は、システム制御ソフト、ＧＵＩ（Ｇｒａｐｈｉｃａｌ  Ｕｓｅｒ  Ｉｎｔｅｒｆａｃｅ）ソフト、及びその他処理プログラム・コードが格納された記憶領域を備えている。さらに、制御部２７には、メモリ２９が接続され、後述するＯＳＤ（Ｏｎ  Ｓｃｒｅｅｎ  Ｄｉｓｐｌａｙ）重畳部に供給される記号、文字、キャラクタ等のデータが記憶される。メモリ２９は、例えば、書換え可能な不揮発性メモリで構成され、上記データの他、チャンネル選局情報、あるいはタイマー予約データも記憶する。
【００２２】
チューナ２６で選局された受信信号は、復調部３０に供給されて映像信号と音声信号が復調されてそれぞれベースバンドの映像信号及び音声信号として導出される。なお、以降の説明では、理解を容易にするために映像信号の処理を主体に説明し、音声信号については基本的に省略することとする。
【００２３】
復調部３０から出力される映像信号は、セレクタ３１を介してＯＳＤ重畳部３２に導出される。セレクタ３１は、放送受信信号とＶＴＲ部２２の再生信号と、ＤＶＤレコーダ部２３の再生信号を択一的に選択して出力するものであるが、詳細は後で述べる。
【００２４】
ＯＳＤ重畳部３２は、制御部２７の制御の下、セレクタ３１で選択された信号をそのまま出力するか、あるいは、セレクタ３１で選択された信号に対して、後述するリモコン送信器のモードに関するメッセージ、あるいは操作メニュー等の情報を重畳して出力する。それら重畳される情報は、メモリ２９に記憶されたデータを用いて制御部２７で生成される。
【００２５】
ＯＳＤ重畳部３２から出力される映像信号は、映像信号出力部３３に導出され、ここで、表示部３４で表示させるための処理が施され、表示部３４で映像として表示される。
さらに、テレビジョン受信器部２１は、各回路部に電源を供給する電源部３５を備えており、この電源部３５は、制御部２７によって制御される。すなわち、機器１０の電源オフ状態とオン状態を作る。
なお、入力部２８は、図１に示す電子機器１０の筐体１２前面に設けられた複数の操作ボタン１７と、リモコン信号受光部１８を含む。
ＶＴＲ部２２は、一般的な例えばＶＨＳ（Ｖｉｄｅｏ  Ｈｏｍｅ  Ｓｙｓｔｅｍ）（登録商標）方式のものであり、復調部３０からのベースバンド信号が供給される記録信号処理部３６と、テープ／ヘッドドライブ部３７と、再生信号処理部３８で構成される。
【００２６】
記録信号処理部３６は、復調部３０からのベースバンド信号を記録するための信号に変換する処理を行なうもので、輝度信号の周波数変調、色信号の搬送波低域変換と水平インターリーブ処理等を行なう。
テープ／ヘッドドライブ部３７は、装着されるカセット３９のテープを走行駆動するテープ駆動系と回転ヘッドを回転駆動するヘッド駆動系を含み、記録信号処理部３６からの信号を、カセット３９のテープに記録し、かつ再生すべく、テープとヘッドを駆動する。また、テープ／ヘッドドライブ部３７は、カセット３９がテープ／ヘッドドライブ部３７に装着されたことを検出して、制御部２７に検出信号を送る手段を含む。
【００２７】
再生信号処理部３８は、テープ／ヘッドドライブ部３７によって再生された信号を元のベースバンド信号に変換する処理を行ない、セレクタ３１に出力する。
ＤＶＤレコーダ部２３は、復調部３０からのベースバンド信号が供給されるエンコーダ／フォーマッタ４０と、データプロセッサ４１と、ディスクドライブ部４２と、デコーダ４３と、バッファメモリ４４で構成される。
エンコーダ／フォーマッタ４０は、復調部３０から供給されるベースバンド信号を、デジタル信号に変換すると共に、ＭＰＥＧ（Ｍｏｖｉｎｇ  Ｐｉｃｔｕｒｅ  Ｅｘｐｅｒｔｓ  Ｇｒｏｕｐ）２規格に基づく圧縮処理を施し、さらにバッファメモリ４４を用いてＤＶＤの規格に対応したフォーマットに変換してデータプロセッサ４１に導出する。
【００２８】
データプロセッサ４１は、記録または再生単位のデータを取り扱うもので、バッファ回路、変調・復調回路、エラー訂正回路等を含み、エンコーダ／フォーマッタ４０から供給されるデータに対して、それら処理を施してディスクドライブ部４２に出力する。
【００２９】
ディスクドライブ部４２は、供給されたデータをディスク４５に書込み、かつディスク４５から読み取る動作を実行する。ディスク４５から読み取ったデータは、データプロセッサ４１を介してデコーダ４３に導出する。
デコーダ４３は、データプロセッサ４１から供給される再生データに対してＭＰＥＧ２規格の復号処理を施して、非圧縮のデジタル信号に変換し、さらにデジタル信号をアナログ信号に変換してベースバンドの信号としてセレクタ３０に出力する。
【００３０】
なお、チューナ２６と復調部３０は、ＶＴＲ部２２及びＤＶＤレコーダ部２３にそれぞれ設けるようにしてもよく、そのように構成することで、テレビジョン受信器部２１での番組視聴と、ＶＴＲ部２２の録画、ＤＶＤレコーダ部２３での録画をそれぞ同時に実行させることが可能となる。
【００３１】
以上のように構成された機器１０において、テレビジョン受信器部２１で受信した放送番組を視聴する場合には、例えば、リモコン送信器１６を操作して入力部２８を介して制御部２７に制御信号を送って、制御部２７で、チャンネル選局等の制御を行なうと共に、セレクタ部３１を復調部３０からの信号を選択するように制御する。
【００３２】
また、ＶＴＲ部２２またはＤＶＤレコーダ部２３で、放送番組を録画する場合には、リモコン送信器１６を操作することで、入力部２８を介して制御部２７に制御信号を送り、制御部２７が、ＶＴＲ部２２またはＤＶＤレコーダ部２３の各部を制御する。それによって、チューナ２６で受信され、現在視聴中の番組の信号をカセット３９あるいはディスク４５に録画する。あるいは、リモコン送信器１６の操作によって、録画したい放送番組の放送開始時刻、放送終了時刻、放送チャンネル等のデータを入力し、メモリ２９に記憶させる（タイマー予約）操作を行なう。
【００３３】
また、例えばＶＴＲ部で再生を行なう場合にも、リモコン送信器１６によって、入力部２８を介して制御部２７に制御信号を送り、制御部２７がＶＴＲ部２２の各部とセレクタ３１を制御して、カセット３９のテープから再生した信号に基づく映像を表示部３４で表示させる。
【００３４】
また、機器１０には、テレビジョン受信器部２１、ＶＴＲ部２２及びＤＶＤレコーダ２３の各機能、動作状態を、ユーザの好みに合せて設定することが可能な初期設定機能を備えている。すなわち、リモコン送信器１６の例えばメニューキーを操作して、入力部２８を介して制御部２７に制御信号を送ることで、制御部２７は、ＧＵＩ形式のメニュー情報を生成してＯＳＤ重畳部３２に送り、映像信号出力部３３を介してメニュー画面を表示部３４に表示させる。
【００３５】
ユーザは表示された画面を見ながら、リモコン送信器１６の例えば、カーソルキーと決定キーを使って、メニューの各項目毎に好みの設定を登録することができる。ユーザによって選択された情報は、メモリ２９に記憶されることで登録され、制御部２７は、以降その情報に基づいた制御を行なう。
【００３６】
以上のように、ユーザによる機能の設定、動作の制御は、基本的にはリモコン送信器１６の操作によって実行されるものであり、リモコン送信器１６は、テレビジョン受信器部２１、ＶＴＲ部２２、ＤＶＤレコーダ部２３にそれぞれ対応した操作キーを備えるが、一方で、キーの数を制限するために、例えばＶＴＲ部２２とＤＶＤレコーダ部２３に共通する機能に対応する操作キーについては、唯一の操作キーとして備えており、そのキーをＶＴＲ用として使う場合には、ＶＴＲ用に切換え、ＤＶＤレコーダ用として使う場合には、ＤＶＤレコーダ用に切換えるように構成している。
【００３７】
リモコン送信器１６の一例を図３及び図４に示す。図３において、リモコン送信器１６は、電源をオンオフするキー２０１と、ＶＴＲ部２２、ＤＶＤレコーダ部２３に共通に適用されるキー２０２〜２１０を備える。また、メニュー画面等で項目を選択するためのカーソルキー２１１と選択した項目を登録するための決定キー２１２を有する。
【００３８】
さらに、１〜１０（０）、１１，１２で構成される数字キー２１３と、チューナで選局するチャンネルをアップあるいはダウンするチャンネルシフトキー２１４と、音量を調整するための音量シフトキー２１５を有する。
また、リモコン送信器１６は、図中下部にスライド可能な蓋部２１６を有し、この蓋部２１６をリモコン送信器１６の長手方向にスライドさせることで、ＶＴＲ部２２及びＤＶＤレコーダ部２３に専用に適用されるキーを露出させ、それを操作することができるように構成されている。
【００３９】
図４は、蓋部２１６をスライドさせた状態を示すもので、ＶＴＲと表示された枠内のキーがＶＴＲ部２２専用のキー２１７であり、ＤＶＤと表示された枠内のキーがＤＶＤレコーダ部２３専用のキー２１８である。ＶＴＲ用のキーとして、「標準／３倍」、「残量／時計」等があり、ＤＶＤ用のキーとして、「リピート」、「字幕」等がある。
【００４０】
また、リモコン送信器１６には、その側面に、モードを切換えるためのスライドスイッチ２１９が設けられている。スライドスイッチ２１９は、ＴＶ／ＶＴＲモードと、ＤＶＤモードに切換える機能を有する。
すなわち、図３に示すようにスライドスイッチ２１９が切換えられている状態では、リモコン送信器１６は、ＴＶ／ＶＴＲモードに設定されている。このＴＶ／ＶＴＲモードでは、キー２０２〜２１０は、ＶＴＲ部２２として機能し、リモコン送信器１６は、ＶＴＲ部２２制御のためのコード信号を有するリモコン信号を出力する。これによって、キー２０２〜２１０の操作によってＤＶＤレコーダ部２３が応答することはない。
【００４１】
例えば、再生キー２０３を操作すれば、ＶＴＲ部２２に対して再生動作を行なわせ、停止キー２０６を操作すれば、再生を停止する。同様に録画キー２０８を操作すれば、ＶＴＲ部２２に対して録画を実行させ、一時停止キー２１０を操作すれば録画ポーズ状態に設定することができる。
【００４２】
以上のように構成されたリモコン送信器１６において、今ＴＶ／ＶＴＲモードに設定された状態で、例えば再生キー２０３を操作したとすると、リモコン送信器１６からは、ＶＴＲ部２２制御用のコードを有したリモコン信号がＴＶ／ＶＴＲモードを特定する情報と共に送信され、図１に示す入力部２８で受信される。
【００４３】
受信されたリモコン信号は、制御部２７に供給されて復号され、ＶＴＲ部２２を再生動作状態に設定するための制御信号に変換されるが、このとき、制御部２７は、リモコン送信器１６から送られる、ＴＶ／ＶＴＲモードであること示す情報を認識して、モード情報をメモリ２９に記憶する。
【００４４】
リモコン送信器１６が、ＴＶ／ＶＴＲモードに設定されている状態において、図４に示す、ＤＶＤ専用のキー２１９を操作した場合、リモコン送信器１６は、ＤＶＤレコーダ部２３制御用のコードを持ったリモコン信号を送信し、それが入力部２８を介して制御部２７に伝送されるが、制御部２７は、メモリ２９に記憶されているリモコン送信器１６のモード情報に基づいて、ＤＶＤレコーダ部２３用のコードを持ったリモコン信号に基づく制御を拒否する。
【００４５】
同様に、リモコン送信器１６がＤＶＤモードに設定されている状態において、録画キー２０８を操作した場合、リモコン送信器１６からは、ＤＶＤレコーダ部２３用のコードを有したリモコン信号がＤＶＤモードを特定する情報と共に送信され、図１に示す入力部２８で受信される。
【００４６】
受信されたリモコン信号は、制御部２７に供給されて復号され、ＤＶＤレコーダ部２３を録画動作状態に設定するための制御信号に変換されるが、このとき、制御部２７は、リモコン送信器１６から送られる、ＤＶＤモードであること示す情報を認識して、モード情報をメモリ２９に記憶する。
【００４７】
その状態で、ＶＴＲ部２２専用のキーを操作しても、制御部２７が、リモコン送信器１６がＤＶＤモードに設定されていることを認識しているため、送られたリモコン信号による制御を実行しない。
このように、リモコン送信器１６の設定されているモードとは異なるモード用のキーを操作した場合、制御部２７は、そのキーの操作で送信されるリモコン信号に基づく制御の実行を行なわないように働くが、ユーザにとってみれば、機器１０が全く反応しないため、故障かと誤認する虞がある。
【００４８】
そこで、本発明では、リモコン送信１６の設定モードとは異なるモード用のキー操作に基づくリモコン信号が送信された場合に、制御部２７が、それを認識して、モードが異なるキー操作であるというメッセージを表示部３４で表示するように構成したものである。
【００４９】
すなわち、リモコン送信器１６がＤＶＤモードに設定されていて、ＶＴＲ部２２用のキー２１７が操作された場合、制御部２７は、例えば、図５（ａ）に示すメッセージを表示するためのＯＳＤ信号を生成して、ＯＳＤ重畳部３２に出力し、これを表示部３４で表示させる。
【００５０】
また、メッセージとしては、図５（ｂ）に示すように、そのキーが無効であり、割り当てられた機能を実行することができない旨の表現とすることも可能である。
ユーザは表示されたメッセージを見て、ＶＴＲ部２２が反応しない理由を認識する。すなわち、ＶＴＲ部２２を制御するキーを操作したが、リモコン送信器１６がＤＶＤモードであるということと、逆にＤＶＤレコーダ部２３用の操作キーを操作したつもりが、実際には、ＶＴＲ部２２用のキーを操作していたということを認識するものである。
【００５１】
図６は、図５に示すメッセージを表示するための処理の過程を説明するフローチャートである。図６において、ステップＳ６０１で開始される。初期状態においては、電源がオフになっており、ステップＳ６０２で電源がオンに切換わったか否かの判定がなされる。電源がＯＮに切換わったら、ステップＳ６０３に移って、リモコン送信器１６からのリモコン信号を受信したか否かの判定がなされる。
【００５２】
リモコン信号を受信したら、ステップＳ６０４で、受信したリモコン信号に基づき、リモコン送信器１６がＴＶ／ＶＴＲモードに設定されているか否かの判定がなされ、ＴＶ／ＶＴＲモードに設定されていたら、ステップＳ６０５で、リモコン送信器１６がＴＶ／ＶＴＲモードに設定されていることを示す情報をメモリ２９に記憶する。
【００５３】
次いで、ステップＳ６０６に移って、リモコン信号が受信されたか否かの判定がなされ、受信された場合、ステップＳ６０７でそのリモコン信号がＤＶＤレコーダ部２３制御用のものか否かの判定がなされ、ＤＶＤレコーダ部２３用のリモコン信号であった場合、ステップＳ６０８で、ＯＳＤ表示のメッセージとして、リモコン送信器がＴＶ／ＶＴＲモードに設定されているから、ＤＶＤレコーダ部２３を制御するには、モードを切換える必要がある旨の表示を行なって、ステップＳ６０９で処理を終了する。また、ステップＳ６０７で、リモコン信号がＤＶＤレコーダ部２３用のものでない場合は、処理を終了する。
【００５４】
ステップＳ６０４で、リモコン送信器１６が、ＴＶ／ＶＴＲモードに設定されていないと判定されたら、ステップＳ６１０でリモコン送信器１６がＤＶＤモードに設定されていることを示す情報をメモリ２９に記憶する。
次いで、ステップＳ６１１に移って、リモコン信号が受信されたか否かの判定がなされ、受信された場合、ステップＳ６１２でそのリモコン信号がＴＶ／ＶＴＲモードのものか否かの判定がなされ、ＴＶ／ＶＴＲモード用のリモコン信号であった場合、ステップＳ６１３で、ＯＳＤ表示のメッセージとして、リモコン送信器がＤＶＤモードに設定されているから、テレビジョン受信器部２１またはＶＴＲ部２２を制御するには、モードを切換える必要がある旨の表示を行なって、ステップＳ６０９で処理を終了する。また、ステップＳ６１２で、リモコン信号がＴＶ／ＶＴＲモード用のものでない場合は、処理を終了する。
【００５５】
以上のように、本発明の電子機器の一実施の形態では、複数の機器部で構成され、共通に設けられたキーをモード切換えスイッチで切換えるようにしたリモコン送信器で制御する場合に、設定されたキーとは異なるキーを操作した際に、モードが違うということをユーザにメッセージで通知するようにしたので、ユーザにとって使い勝手のよいリモコン送信器を備えた電子機器を提供することができるものである。
【００５６】
なお、このメッセージは、リモコン送信器１６の設定モードに対応したキーを操作した際に、その設定されたモードをメッセージ表示し、設定モードとは異なる操作キーを操作した際にはメッセージを表示しないように構成してもよいものである。例えば図７に示すように、リモコン送信器１６が、ＤＶＤモードに設定されていることを通知するようなメッセージであってもよい。
【００５７】
図８は、図７に示すメッセージを表示するように構成した実施の形態の処理過程を説明するためのフローチャートである。図８に示すフローチャートは、一部を除いて図６のフローチャートと同じであり、ステップの番号の下２桁が同じステップが実質的に同じ処理をするステップである。一部相違するステップは、ステップＳ８０７、Ｓ８０８と、ステップＳ８１２，Ｓ８１３である。
【００５８】
ステップＳ８０７は、受信したリモコン信号がＴＶ／ＶＴＲ制御用のものか否かの判定を行うものであり、ステップＳ８０８は、リモコン信号がリモコン送信器１６のモードと一致する場合に、リモコン送信器１６がＴＶ／ＶＴＲモードであることをメッセージとしてＯＳＤ表示する処理を行う。
【００５９】
また、ステップＳ８１２は、受信したリモコン信号がＤＶＤ制御用のものか否かの判定を行うものであり、ステップＳ８１３は、リモコン信号がリモコン送信器１６のモードと一致する場合に、リモコン送信器１６がＤＶＤモードであることをメッセージとしてＯＳＤ表示する処理を行うものである。
【００６０】
なお、図３，４に示すリモコン送信器１６では、モードをＴＶ／ＶＴＲとＤＶＤの２モードとしたが、テレビジョン受信器、ＶＴＲ、ＤＶＤそれぞれを制御対象とする３つのモードを持つものとして構成してもよいものであり、その場合、メッセージが３通りのものになり、図６及び図８に示すフローチャートも、それに応じたものとなる。
【００６１】
本発明の他の実施の形態としては、リモコン送信器１６のモード情報がメモリ２９に記憶されるので、この情報を機器の電源をオフした後も保持しておいて、機器の電源をオンした際に、読み出してＯＳＤ表示するようにしてもよい。すなわち、メモリ２９には、機器の電源をオフする直前のリモコン送信器１６のモード情報が記憶されているので、電源をオンした際に、これを読み出して図９に示すように、リモコン送信器１６の設定モードとして、例えばＤＶＤモードが設定されているということをメッセージでユーザに通知することで、ユーザが誤った操作をすることを未然に防ぐことができるものである。
【００６２】
図１０は、図９に示すメッセージを画面表示するための処理を説明するフローチャートであり、機器の電源をオフするまでの処理を説明している。図９において、ステップＳ１００１で開始される。初期状態においては、機器の電源がオフになっており、ステップＳ１００２で電源がオンに切換わったか否かの判定がなされる。電源がオンに切換わったら、ステップＳ１００３に移って、リモコン送信器１６からのリモコン信号を受信したか否かの判定がなされる。
【００６３】
リモコン信号を受信したら、ステップＳ１００４で、受信したリモコン信号に基づき、リモコン送信器１６がＴＶ／ＶＴＲモードに設定されているか否かの判定がなされ、ＴＶ／ＶＴＲモードに設定されていたら、ステップＳ１００５で、リモコン送信器１６がＴＶ／ＶＴＲモードに設定されていることを示す情報をメモリ２９に記憶する。次いでステップＳ１００６で電源がオフに切換わったか否かの判定がなされ、電源がオンのままの場合にはステップＳ１００３に戻る。電源がオフに切換わったことが認識されたら、ステップＳ１００７で処理を終了する。
【００６４】
ステップＳ１００４で、リモコン送信器１６が、ＴＶ／ＶＴＲモードに設定されていないことが判定されたら、ステップＳ１００８で、リモコン送信器１６がＤＶＤモードに設定されていることを示す情報をメモリ２９に記憶する。次いでステップＳ１００９で電源がオフに切換わったか否かの判定がなされ、電源がオンのままの場合にはステップＳ１００３に戻る。電源がオフに切換わったことが認識されたら、ステップＳ１００７で処理を終了する。
【００６５】
図１１は、図１０に示すフローチャートで処理された機器の電源を入れた際の処理を説明するためのフローチャートである。図１１において、ステップＳ１０１０で開始され、ステップＳ１０１１で電源がオンに切換わったか否かの判定がなされ、電源がオンになったら、ステップＳ１０１２で、記憶されていた電源オフ直前のリモコン送信器１６のモード情報を読出す。ステップＳ１０１３で電源オフ時のリモコン送信器１６のモードがＴＶ／ＶＴＲモードか否かの判定がなされ、ＴＶ／ＶＴＲモードであったら、ステップＳ１０１４でリモコン送信器のモードがＴＶ／ＶＴＲモードである旨のＯＳＤ表示を行い、ステップＳ１０１５で処理を終了する。
【００６６】
ステップＳ１０１３で電源オフ時のリモコン送信器１６のモードがＴＶ／ＶＴＲモードでないと判定されたら、ステップＳ１０１６でリモコン送信器のモードがＤＶＤモードであることをＯＳＤ表示してステップＳ１０１５で処理を終了する。
この実施の形態によれば、機器の電源をオンした際に、電源をオフする直前のリモコン送信器の設定モードをＯＳＤ表示するようにしたので、ユーザの誤操作を防止することができるものである。
このように、本発明の電子機器によれば、リモコン送信器１６を操作する際、あるいは機器の電源を入れた際に、リモコン送信器１６が設定されているモードと関連するメッセージを表示部で表示するようにしたので、ユーザにとって使い勝手のよい電子機器を提供することができるものである。
【００６７】
なお、本発明は以上説明した実施の形態に限定されるものではなく、趣旨を逸脱しない範囲で種々変形可能である。
【００６８】
【発明の効果】
以上のように、本発明の電子機器によれば、リモコン送信器１６が設定されているモードと関連するメッセージを表示部で表示するようにしたので、ユーザにとって使い勝手のよい電子機器を提供することができるものである。
【図面の簡単な説明】
【図１】本発明に係る電子機器の外観を示す構成図。
【図２】本発明に係る電子機器の一実施の形態を示す回路構成図。
【図３】図１に示す装置に適用されるリモコン送信器の構成図。
【図４】図１に示す装置に適用されるリモコン送信器の他の構成図。
【図５】図１に示す装置の動作を説明するための構成図。
【図６】図１に示す装置の動作を説明するためのフローチャート。
【図７】図１に示す装置の動作を説明するための構成図。
【図８】図１に示す装置の動作を説明するためのフローチャート。
【図９】本発明の電子機器の他の実施の形態を説明するための構成図。
【図１０】図８に示す実施の形態の動作を説明するためのフローチャート。
【図１１】図８に示す実施の形態の動作を説明するためのフローチャート。
【符号の説明】
１１…テレビジョン受信器
１２…筐体
１３…表示手段
１４…カセット挿入部
１５…ディスク装着部
１６…リモートコントロール送信器
１７…操作ボタン
１８…受光部
２１…テレビジョン受信器部
２２…ＶＴＲ部
２３…ＤＶＤレコーダ部
２４…アンテナ
２５…アンテナ入力端子
３９…カセット
４５…ディスク
【図１】
2005051310.tif 000003
【図２】
2005051310.tif 000004
【図３】
2005051310.tif 000005
【図４】
2005051310.tif 000006
【図５】
2005051310.tif 000007
【図６】
2005051310.tif 000008
【図７】
2005051310.tif 000009
【図８】
2005051310.tif 000010
【図９】
2005051310.tif 000011
【図１０】
2005051310.tif 000012
【図１１】
2005051310.tif 000013